(57)【特許請求の範囲】
【請求項１】
操作棒の先端部に取り付けられるヘッドを備え、
このヘッドは、
互いに対峙する対をなす側壁部、及び、それぞれの前記側壁部の一端側を連結する連結部により構成され、前記対をなす側壁部の間に他端側が開放された収容空間が形成されたヘッド本体と、
このヘッド本体の対をなす側壁部のそれぞれに設けられ、側壁部間に挿入される部材に対して近接、離間するように揺動可能に取り付けられた対をなす揺動刃と、
前記ヘッド本体から引き出された線状部材の操作に連動して前記対をなす揺動刃を互いに近接させるように揺動させる揺動刃駆動機構と、
を具備することを特徴とする蔓性植物除去工具。
【請求項２】
前記揺動刃駆動機構は、前記線状部材の操作を解除した場合に前記対をなす揺動刃を互いに離間させる方向に揺動させる機構をさらに有することを特徴とする請求項１記載の蔓性植物除去工具。
【請求項３】
前記揺動刃駆動機構は、前記線状部材を引っ張ることで回転する歯車群と、この歯車群を介して回転動力が伝達され、前記側壁部の内側から前記揺動刃に当接する偏心カムとを有することを特徴とする請求項１又は２記載の蔓性植物除去工具。
【請求項４】
前記揺動刃は、前記一対の側壁部を含む平面上に揺動可能に設けられ、一方の揺動刃は、前記側壁部の一端側を支点として揺動し、他方の揺動刃は、前記側壁部の他端側を支点として揺動することを特徴とする請求項１乃至３のいずれかに記載の蔓性植物除去工具。
【請求項５】
前記揺動刃は、台形状に形成され、一方の側壁部に設けられる揺動刃と他方の側壁部に設けられる揺動刃とは、上底部と下底部とが逆向きに取り付けられていることを特徴とする請求項１乃至４のいずれかに記載の蔓性植物除去工具。
【請求項６】
前記操作棒は、共用操作棒からなり、前記ヘッド本体の下端部には、前記共用操作棒に接続可能な装着用アダプタが取り付けられていることを特徴とする請求項１乃至５のいずれかに記載の蔓性植物除去工具。
【発明の詳細な説明】
【技術分野】
【０００１】
本発明は、電柱などの柱状立設体を支えるためにその上部から地上へ斜めに張った支線に絡みついたかずら等の蔓性植物を除去するために用いる工具に関する。
【背景技術】
【０００２】
架空配電線路の支持物である電柱は、様々な箇所に施設されており、倒壊防止等の観点から、上部から地上へ斜めに張った支線が取り付けられている。
この電柱の支線には、かずら等の蔓性植物が絡みついて巻き上がるため、そのまま放置しておくと、最悪の場合には、蔓性植物が配電線などの充電設備に達し、地絡による停電を発生させる不都合がある。このため、従来においては、蔓性植物の電柱支線への巻き上がりの有無を定期点検の際に確認し、また、巻き上がりの有無を点検するために臨時巡視を行い、巻き上がりが発見される都度、巻き上がった蔓性植物を除去するようにしている。
【０００３】
このような蔓性植物を除去する作業においては、地上から低い箇所であれば、鎌状の刃物を直接手で持って、蔓性植物を掻き分けて支線の近くまで入り、支線に絡み付いた蔓性植物を切断除去するようにし、また、地上から高い箇所であれば、万能活線操作棒に鎌状の刃物を取り付けて離れた箇所から切断除去する作業を行ったり、電柱に昇って鎌状の刃物を手で持って除去したりするようにしている。
また、電柱支線に巻付いた蔓を地上からの操作により作業性よく切払い除去するために、所要の長さを持つ杆体の先端に、鎌と鋸とを刃部が互いに外向きになるように対向させて取付けた切払い除去具も提案されている（特許文献１参照）。
【先行技術文献】
【特許文献】
【０００４】
【特許文献１】特開平６ − ７ ０ ６ ６ 号公報
【発明の概要】
【発明が解決しようとする課題】
【０００５】
しかしながら、鎌状の刃物で蔓性植物を切断する場合には、振りかぶる動作が必要となり、また、鋸状の刃部で蔓性植物を切断する場合には、上下または前後に動かす動作が必要となり、多大な労力を要するものであった。特に、長尺の操作棒を利用する場合には、鎌状の刃物を直接持って行う作業よりも数倍の労力を要し、足場が悪い箇所や無理な姿勢を強いられる場合には、振りかぶる動作や上下・前後に動かす動作が困難となり、また、安定感が低下して危険を伴うものであった。
【０００６】
本発明は、係る事情に鑑みてなされたものであり、長尺の操作棒をもって蔓性植物を除去する作業を行う場合において、操作棒を大きく動かす操作が不要で、どのような使用状態でも同様の労力で蔓性植物を除去することが可能な蔓性植物除去工具を提供することを主たる課題としている。
【課題を解決するための手段】
【０００７】
上記課題を達成するために、本発明に係る蔓性植物除去工具は、操作棒の先端部に取り付けられるヘッドを備え、このヘッドは、互いに対峙する対をなす側壁部、及び、それぞれの側壁部の一端側を連結する連結部により構成され、前記対をなす側壁部の間に他端側が開放された収容空間が形成されたヘッド本体と、このヘッド本体の対をなす側壁部のそれぞれに設けられ、側壁部間に挿入される部材に対して近接、離間するように揺動可能に取り付けられた対をなす揺動刃と、前記ヘッド本体から引き出された線状部材の操作に連動して前記対をなす揺動刃を互いに近接させるように揺動させる揺動刃駆動機構と、を具備することを特徴としている。
【０００８】
したがって、作業者は、ヘッドが取り付けられた操作棒を持ってヘッドを蔓性植物が巻きついた支線に近づけ、対をなす側壁部の開放部分から支線を蔓性植物と共に側壁部間の収容空間に挿入し、しかる後に、線状部材を操作する（引っ張る）ことで対をなす揺動刃を互いに近接させれば、一対の揺動刃が支線に巻きついた蔓性植物に押し付けられ、蔓性植物を切断することが可能となる。
このため、作業者は、ヘッドを上下前後に動かして蔓性植物を切断するような作業が不要となり、蔓性植物除去工具のヘッドを支線に対してどのような体勢でどの方向からアプローチしても、支線をヘッドの収容空間に挿入できさえすれば、線状部材を操作するだけで支線に巻き付いた蔓性植物を切断することが可能となり、線状部材を操作する（引っ張る）という労力を要するだけとなる。
【０００９】
なお、前記揺動刃駆動機構は、前記線状部材の操作を解除した場合に前記対をなす揺動刃を互いに離間させる方向に揺動させる機構を含むとよい。
このような機構を備えることで、線状部材を操作して対をなす揺動刃を互いに近接させ、操作を解除することで対をなす揺動刃が互いに離間させることが可能となるので、少しずつヘッドの位置をずらしながら蔓性植物を切断するような連続した作業が可能となる。
【００１０】
ここで、前記揺動刃駆動機構としては、前記線状部材を引くことで回転する歯車群と、この歯車群を介して回転動力が伝達され、前記側壁部の内側から前記揺動刃に当接する偏心カムとを有する構成としてもよい。
【００１１】
また、前記揺動刃は、前記一対の側壁部を含む平面上に揺動可能に設けられ、一方の揺動刃は、前記側壁部の一端側を支点として揺動し、他方の揺動刃は、前記側壁部の他端側を支点として揺動するようにしてもよい。
【００１２】
さらに、線状部材の少ない操作量で互いの揺動刃の離間距離を大きく変化させるために、前記揺動刃を台形状に形成し、一方の側壁部に設けられる揺動刃と他方の側壁部に設けられる揺動刃とは、上底部と下底部を逆向きに取り付けるようにしてもよい。
【００１３】
なお、以上のヘッドは、長尺の操作棒に予め着脱不能に取付けられたものであっても、また、前記操作棒を共用操作棒で構成し、ヘッド本体の下端部に、共用操作棒に接続可能な装着用アダプタを取付け、共用操作棒に着脱可能とするものであってもよい。
【発明の効果】
【００１４】
以上述べたように、本発明に係る蔓性植物除去工具によれば、対をなす側壁部のそれぞれに、側壁部間に挿入される部材に対して近接、離間するように揺動可能に取り付けられた対をなす揺動刃を設け、この揺動刃をヘッド本体から引き出された線状部材を操作することで（引くことで）互いに近接させるように揺動させ、側壁部間（収容空間）に挿入される部材に対して揺動刃を押し付けるようにしたので、支線に巻き付いた蔓性植物を支線と共に側壁部間（収容空間）に挿入した後に線状部材を操作すれば、支線に巻きついた蔓性植物をヘッドを動かさなくても揺動刃で切断することが可能となる。
【００１５】
したがって、従来のように工具を上下前後に動かして蔓性植物を切断する操作が不要となり、線状部材を操作するだけで蔓性植物を切断することができるので、どのような使用状態でも同様の労力で蔓性植物を除去することが可能となり、作業労力を低減することが可能となる。
また、操作棒を動かす必要がないので、安定した作業を行うことができ、揺動刃がヘッド本体の側壁部間に突出するだけとなるので、刃先が露出している鎌等の工具に比べて災害のリスクを軽減することが可能となる。
【図面の簡単な説明】
【００１６】
【図１】図１は、本発明に係る蔓性植物除去工具を示す外観図であり、（ａ）は支線に取り付ける前の状態を示す斜視図、（ｂ）は側面図である。
【図２】図２は、本発明に係る蔓性植物除去工具のヘッドの内部構造を示す断面図であり、線状部材を引っ張る前の状態を示す図である。
【図３】図３は、本発明に係る蔓性植物除去工具のヘッドの内部構造を示す断面図であり、線状部材を引っ張った状態を示す図である。
【図４】図４は、本発明に係る蔓性植物除去工具を用いて支線に巻き付いた蔓性植物を除去する作業を示す図である。
【図５】図５は、本発明に係る蔓性植物除去工具を共用操作棒に着脱できるようにした変形例を示す側面図である。
【発明を実施するための形態】
【００１７】
以下、本発明に係る蔓性植物除去工具について、添付図面を参照しながら説明する。
【００１８】
図１において、蔓性植物除去工具１の一例が示され、この蔓性植物除去工具１は、絶縁性素材で形成された長尺の操作棒２の先端部にヘッド３を着脱不能に固定して構成されている。
【００１９】
ヘッド３は、所定の間隔を空けて互いに対峙する一対の側壁部４，５、及び、それぞれの側壁部４，５の一端側を連結する連結部６により構成されたヘッド本体７と、それぞれの側壁部に設けられた揺動刃８ａ，８ｂとを有して構成されている。
【００２０】
ヘッド本体７は、絶縁性素材である硬質の合成樹脂、又は、金属で構成されているもので、前記対をなす側壁部４，５の間には、他端側が開放されて、この開放部９から支線等を挿入可能な収容空間１０が形成されている。この開放部９は、支線やこれに巻きつけられたかずら等の蔓性植物を同時に挿入できる程度の大きさに形成され、この例では、開放部９を形成する他方の側壁部５の先端部とこれに対峙する一方の側壁部４の部分とが、幾分狭められる形状に形成されると共に、外部から収容空間１０への支線等の移動や収容空間１０から外部への支線等の移動がスムーズに行えるようテーパ状に形成されている。
【００２１】
それぞれの側壁部４，５は、操作棒２の軸線に対して略平行に延設され、一方の側壁部４には、連結部６と反対側の端部に前記操作棒２と接続する接続部４ａが一体に形成され、この接続部４ａに操作棒２の先端部を挿入し、例えば側方からネジ止めすることによってヘッド本体７を操作棒２に脱離不能に固定している。
【００２２】
それぞれの側壁部４，５には、図２にも示されるように、側壁部間（収容空間１０）に挿入される部材に対して近接、離間するように揺動する揺動刃８ａ，８ｂが取り付けられ、対をなす側壁部４，５の互いに対峙する面には、揺動刃８ａ，８ｂが突出する開口部１１ａ，１１ｂが形成されている。
【００２３】
それぞれの揺動刃８ａ，８ｂは、側面視で台形状に形成され、中心線上に設けられた支軸１２ａ，１２ｂに固定され、開口部１１ａ，１１ｂの近傍において側壁部４，５の延設方向に支軸１２ａ，１２ｂを向けるように取り付けられている。この例において、それぞれの揺動刃８ａ，８ｂは、開口部１１ａ，１１ｂから表出する約半分の部分に支軸１２ａ，１２ｂに沿って延びると共に支軸１２ａ，１２ｂに対して所定の角度に傾斜する鋭利な刃先８１ａ、８１ｂが形成され、側壁部４，５の内側にくる約半分の部分がテーパ状に形成されて、後述する偏心カムが当接する押圧面８２ａ，８２ｂに形成されている。
この押圧面８２ａ，８２ｂは、偏心カムとのスムーズな摺接を確保するために、断面弧状に形成するようにしてもよい。
【００２４】
一方の側壁部４に設けられた揺動刃８ａは、収容空間１０の開放部９側を上底とし、連結部６側を下底とするように配置され、支軸１２ａの下端部（収容空間１０の開放部９側の端部）１２ａ−１を回転支点としてヘッド本体７に回転自在に支持され、この支軸１２ａの下端部１２ａ−１を中心に対をなす側壁部４，５を含む平面上を揺動可能に取り付けられている。また、他方の側壁部５に設けられた揺動刃８２ｂは、連結部６側を上底とし、収容空間１０の開放部９側を下底とするように配置され、支軸１２ｂの上端部（連結部６側の端部）１２ｂ−１を回転支点としてヘッド本体７に回転自在に支持され、この支軸１２ｂの上端部１２ｂ−１を中心に対をなす側壁部４，５を含む平面上を揺動可能に取り付けられている。
【００２５】
また、一方の揺動刃８ａの支軸１２ａの上端部１２ａ−２には、この揺動刃８ａを側壁部内に戻す方向に常時付勢するスプリング１３ａが取り付けられ、また、他方の揺動刃８ｂの支軸１２ｂの下端部１２ｂ−２には、この揺動刃８ｂを側壁部内に戻す方向に常時付勢するスプリング１３ｂが取り付けられている。
【００２６】
それぞれの側壁部４，５内には、操作棒２の軸心に対して平行をなす最外壁の内面から内側に向けて垂直に立設された軸１５ａ，１５ｂに回転自在に固定された第1の傘歯車１６ａ，１６ｂと、側壁部内の第1の傘歯車１６ａ，１６ｂと揺動刃８ａ，８ｂとの間に配置されると共に、側壁部４，５の延設方向（操作棒２の軸心に沿った方向）と略平行となるように回転可能に支持された軸１７ａ、１７ｂに固装され、前記第1の傘歯車１６ａ，１６ｂに噛合する第２の傘歯車１８ａ，１８ｂと、この第２の傘歯車１８ａ，１８ｂが固装された軸１７ａ，１７ｂに固定され、揺動刃８ａ，８ｂの押圧面８２ａ，８２ｂに当接される偏心カム１９ａ，１９ｂとが設けられている。
【００２７】
揺動刃８ａ，８ｂの押圧面は、偏心カム１９ａ，１９ｂの外周に形成されたカム面に前記スプリング１３ａ，１３ｂのバネ力で常時当接された状態になっており、偏心カム１９ａ，１９ｂが軸１７ａ，１７ｂを中心に回転すると、押圧面８２ａ，８２ｂと偏心カム１９ａ，１９ｂとが当接する部位の軸１７ａ，１７ｂからの距離が変更され、揺動刃８ａ，８ｂが支軸１２ａ，１２ｂの回転支点（支軸１２ａの下端部１２ａ−１，支軸１２ｂの上端部１２ｂ−１）を中心にスプリング１３ａ，１３ｂのバネ力に抗して回動するようになっている。
この側壁部に収容された歯車群（第１の傘歯車１６ａ，１６ｂ、第２の傘歯車１８ａ，１８ｂ）、及び、偏心カム１９ａ，１９ｂにより、以下述べる線状部材２０の操作に連動して対をなす揺動刃８ａ，８ｂを互いに近接させるように揺動させ，操作を解除することにより対をなす揺動刃を互いに離間させる方向に揺動させる揺動刃駆動機構が構成されている。
【００２８】
線状部材２０は、ロープやワイヤ等により構成され、一端が他方の側壁部５に設けられた第1の傘歯車１６ｂと一体的に回転するボビン２１ｂに固定され、このボビン２１ｂに内蔵されたコイルバネにより巻き取られる方向に常時付勢されている。線状部材２０は、このボビン２１ｂからヘッド本体７の連結部６の内面近傍を這わすようにヘッド本体７の内壁に沿って配設された複数のガイドピン２２の外側を這わせ、その後、一方の側壁部４に設けられた第1の傘歯車１６ａと一体をなすボビン２１ａに巻きつけた後に、ヘッド本体７の一方の側壁部４と接続部４ａとの間に形成された引出口２３から操作棒２に沿って引き出されている。
【００２９】
したがって、引出口２３から引き出された線状部材２０を引っ張ると、この線状部材２０が巻き付けられている第1の傘歯車１６ａ、１６ｂが回転し、これに噛合する第2の傘歯車１８ａ、１８ｂが回転し、この第2の傘歯車１８ａ，１８ｂの軸１７ａ，１７ｂに固定されている偏心カム１９ａ，１９ｂが回転し、図３に示されるように、揺動刃８ａ，８ｂと偏心カム１９ａ，１９ｂとの当接部位が軸１７ａ，１７ｂから遠ざかり、揺動刃８ａ，８ｂがスプリング１３ａ，１３ｂのバネ力に抗して収容空間１０側へ回動し、揺動刃同士の間隔（距離）が狭められる（短くなる）ようになっている。
【００３０】
以上の構成において、図４に示されるように、支線１００に巻き付いた蔓性植物１０１を除去するには、蔓性植物１０１が巻き付いた支線１００の付近で操作しやすい箇所を確保し、この位置から操作棒を手で持ってヘッド３を支線１００に巻き付いた蔓性植物の切断したい箇所にアプローチし、蔓性植物が巻き付いた支線を、蔓性植物と共にヘッド３の対をなす側壁部間（収容空間１０）に開放部９から挿入する。そして、その状態で、ヘッド３を動かさずに線状部材２０を手前に引っ張れば、対をなす揺動刃８ａ，８ｂが支線１００及び蔓性植物１０１を挟み込むように回動し（図４参照）、対をなす揺動刃８ａ，８ｂは支線１００に巻き付いた蔓性植物１０１に押し付けられ、この蔓性植物１０１を切断する。
【００３１】
したがって、作業者は、ヘッド３を上下前後に大きく動かす必要はなく、所望の支線位置にヘッド３を固定した状態で線状部材２０を引っ張れば、視線に巻き付いた蔓性植物１０１を切断することが可能となるので、作業労力を低減することが可能となる。しかもこの操作は、蔓性植物除去工具のどのような使用状態でも同じであるため、使用状態に拘らず同様の労力で蔓性植物を除去することが可能となる。
【００３２】
また、特に、上述の構成においては、揺動刃が側面視で台形状に形成されているので、揺動刃の回転に伴い、揺動刃同士の間隔（距離）を大きく変化させることが可能となり、線状部材の引っ張る長さを短くすることが可能となる。また、揺動刃を台形状にすることで、最も力を入れる必要がある蔓性植物の切断時に、偏心カムを揺動刃の押圧面に対して線接触または面接触させることが可能となり（図４参照）、線状部材に対する操作力を揺動刃にしっかり伝達できると共に、局所的に過剰な力が作用して駆動機構（偏心カム等）が破損する恐れを防ぐことが可能となる。
【００３３】
さらに、上述の構成においては、蔓性植物切断時に操作棒を動かす必要がないので、安定した作業を行うことができ、また、揺動刃がヘッド本体の側壁部間に突出するだけとなるので、刃先が露出している鎌等の工具に比べて災害のリスクを大幅に軽減することが可能となる。
【００３４】
図５において、蔓性植物除去工具の他の構成例が示されている。
前記構成例では、操作棒２に対してヘッド３が着脱不能に固定された例を示したが、ヘッド３を共用操作棒３０に対して着脱可能に取り付けるようにしてもよい。
【００３５】
すなわち、ヘッド本体７の一方の側壁部４の基端部に共用操作棒３０の先端部に取付け可能な装着用アダプタ４０を設け、共用操作棒３０の先端部の工具取付部３１をツイストロックさせるようにしてもよい。
この装着用アダプタ４０は、それ自体周知の構成であり、下端が開放された中空円筒状に形成され、この装着用アダプタ４０の円筒側面に、共用操作棒３０の先端部の工具取付部３１に設けられた径方向に突設する一対の係止ピン３２を導入するための略Ｔ字状のガイド溝４１が形成され、このガイド溝４１の終端部に、係止ピン３２をツイストロックさせるための係止凹部４１ａが形成されている。
なお、他の構成部分は、前記構成例と同様であるので、同一箇所に同一符号を付して説明を省略する。
【００３６】
したがって、このような装着用アダプタ４０を有する蔓性植物除去工具１によれば、ヘッド３のみを持ち運び、必要に応じて共用操作棒３０の先端部に装着して用いることが可能となる。
【符号の説明】
【００３７】
１  蔓性植物除去工具
２  操作棒
４，５  側壁部
６  連結部
７  ヘッド本体
８ａ，８ｂ  揺動刃
２０  線状部材
１３ａ，１３ｂ  スプリング
１６ａ，１６ｂ  第１の傘歯車
１８ａ，１８ｂ  第２の傘歯車
１９ａ，１９ｂ  偏心カム
１００  支線
１０１  蔓性植物
【図１】
0005955898.tif 000002
【図２】
0005955898.tif 000003
【図３】
0005955898.tif 000004
【図４】
0005955898.tif 000005
【図５】
0005955898.tif 000006